(57)【要約】      （修正有）【課題】使用者が意図せずに、コンロバーナの点消火操作部を無意識に操作してコンロバーナが点火して使用者が驚くといったことのないガスコンロを提供する。【解決手段】チャイルドロック解除スイッチ１７Ａ〜１７Ｃを操作しなければ、制御部５０は、点消火ボタン１１Ａ〜１１Ｄが、点火操作されても第１ラッチ式電磁弁ＬＢ１及び第２ラッチ式電磁弁ＬＢ２の閉止状態を維持して各コンロバーナ３Ａ〜３Ｃへの燃料ガスの供給の遮断状態を維持する遮断制御を行うようにし、使用者が意図せずに、コンロバーナの点消火ボタンを無意識に操作してもコンロバーナが点火しないようにしている。【選択図】図５
2017223389.tif 000002
【特許請求の範囲】
【請求項１】
ガスコンロ本体の上部の天板に設けた開口から臨むコンロバーナと、前記ガスコンロ本体に設けられて前記コンロバーナの点消火のために操作される点消火操作部と、前記点消火操作部の操作に基づいて、前記コンロバーナの点消火を制御する制御部とを備えるガスコンロであって、
前記制御部は、前記点消火操作部の点火操作がされても、前記コンロバーナへの燃料ガスの供給の遮断状態を維持する遮断制御を行うものであり、
前記遮断制御を解除するために操作される遮断制御解除部を備え、
前記制御部は、前記遮断制御解除部が操作されたときには、前記遮断制御を行なわず、前記点消火操作部の点火操作によって、前記コンロバーナへの燃料ガスの供給の遮断状態の維持を解除して、前記コンロバーナへの燃料ガスの供給を許容する、
ことを特徴とするガスコンロ。
【請求項２】
前記コンロバーナへ燃料ガスを供給するガス流路に設けられて、前記点消火操作部の点火操作によって開弁するメイン弁と、該メイン弁に直列に接続されて、前記制御部によって開閉が制御される開閉弁とを備え、
前記メイン弁は、前記点消火操作部の点火操作に連動して開弁するものであり、
前記制御部は、前記開閉弁の閉止状態を維持して、前記コンロバーナへの燃料ガスの供給の遮断状態を維持する前記遮断制御を行なう、
請求項１に記載のガスコンロ。
【請求項３】
前記コンロバーナ上の所定の加熱位置における調理容器を検知して検知出力を前記制御部に与える容器検知手段を備え、
前記制御部は、前記容器検知手段によって調理容器が検知されている場合であって、かつ、前記遮断制御解除部が操作されて、前記遮断制御を行わない場合にのみ、前記点消火操作部の点火操作によって、前記開閉弁を開放して前記コンロバーナへの燃料ガスの供給を許容する、
請求項２に記載のガスコンロ。
【請求項４】
前記制御部は、前記コンロバーナによる加熱を行っている加熱状態において、前記点消火操作部の消火操作によって、前記コンロバーナによる加熱を停止した加熱停止状態となったときに、前記遮断制御を開始する、
請求項１ないし３のいずれかに記載のガスコンロ。
【請求項５】
前記制御部は、前記コンロバーナによる加熱を停止して前記加熱停止状態となって所定の遅延時間が経過したときに、前記遮断制御を開始する、
請求項４に記載のガスコンロ。
【請求項６】
前記制御部への電源の供給の入り切りを行う電源スイッチを備え、
前記制御部は、前記電源スイッチの入り操作によって電源が供給されたときに、前記遮断制御を開始する、
請求項１ないし５のいずれか記載のガスコンロ。
【請求項７】
前記コンロバーナの燃焼状態を報知する報知部を備え、
前記報知部は、前記制御部が前記遮断制御を行なっていること、或いは、前記遮断制御解除部が操作されて前記遮断制御を行なっていないことを、前記コンロバーナの燃焼状態の報知態様とは異なる報知態様で報知する、
請求項１ないし６のいずれかに記載のガスコンロ。
【請求項８】
前記制御部は、前記遮断制御解除部が操作されて、前記遮断制御を行わずに所定の解除操作有効時間が経過したときに、前記遮断制御を開始する、
請求項１ないし７のいずれかに記載のガスコンロ。
【発明の詳細な説明】
【技術分野】
【０００１】
本発明は、ガスコンロに関する。
【背景技術】
【０００２】
ガスコンロには、ガスコンロ本体の上部を覆う天板の前方側（使用者に近い側）の左右に、前方側のコンロバーナとして２つ、天板の後方側の中央に、後方側のコンロバーナとして１つの合計３つのコンロバーナが配置される一方、ガスコンロ本体の左右方向の中央部に配置されたグリル庫内に、グリルバーナを備えたものがある。
【０００３】
かかるガスコンロとして、例えば、特許文献１に示すように、３つの前記コンロバーナと前記グリルバーナとをそれぞれ点消火するための４つの点消火操作具としての点消火ボタンを、前記グリル庫の前面開口を開閉するグリル扉を挟んで、その左右の両側に、２つずつ、すなわち、一対ずつ配置したものがある。各点消火ボタンは、ガスコンロ本体の前方側へ突出する前端側部分をそれぞれ有しており、この突出した前端側部分を、操作部として押し操作することができる。
【０００４】
このガスコンロでは、グリル扉の左右両側の一対の点消火ボタン、すなわち、２つの点消火ボタンは、ガスコンロ本体の左右方向（横幅方向）に沿って隣接してそれぞれ配置されると共に、この隣接する２つの点消火ボタンの間に、点消火ボタンの前端側部分と同じ形状部分を有して点消火ボタンと同様に前方側に突出する中間部材を配設している。この中間部材は、点消火ボタンの操作方向と同方向への移動が不能であり、点消火ボタンのように押し操作することはできない。
【先行技術文献】
【特許文献】
【０００５】
【特許文献１】特開２０１４−０４４０３０号公報
【発明の概要】
【発明が解決しようとする課題】
【０００６】
特許文献１では、上記のように、一対の点消火ボタン、すなわち、隣接して並ぶ２つの点消火ボタンの間に、点消火ボタンの操作部となる前端側部分と同じ形状部分を有する押し操作不能の中間部材を配設しているので、使用者が、２つの点消火ボタンの一方の点消火ボタンを押し操作する場合に、誤って、手指が一方の点消火ボタンから他方側へはみ出すようなことがあっても、前記中間部材が存在するので、一方の点消火ボタンの押し操作が、他方の点消火ボタンに及ぶことがなく、意図せずに他方の点消火ボタンが押し操作されるのを回避することができる。
【０００７】
しかしながら、使用者の身体の一部が、ガスコンロ本体の前面部から前方側へ突出した点消火ボタンの前端側部分に不用意に接触して、押し操作していまい、コンロバーナが意図せずに点火してしまう虞がある。
【０００８】
特に、使用者に近い側である天板の前方側に配置された前方側のコンロバーナが、意図せずに点火してしまい使用者が驚くといった事態が生じるのは好ましくなく、改善が望まれる。
【０００９】
本発明は、上記のような点に鑑みてなされたものであって、使用者が意図せずに、コンロバーナの点消火操作部を無意識に操作しても使用者が驚くといったことのないガスコンロを提供することを目的とする。
【課題を解決するための手段】
【００１０】
上記目的を達成するために、本発明では次のように構成している。
【００１１】
（１）本発明のガスコンロは、ガスコンロ本体の上部の天板に設けた開口から臨むコンロバーナと、前記ガスコンロ本体に設けられて前記コンロバーナの点消火のために操作される点消火操作部と、前記点消火操作部の操作に基づいて、前記コンロバーナの点消火を制御する制御部とを備えるガスコンロであって、
前記制御部は、前記点消火操作部の点火操作がされても、前記コンロバーナへの燃料ガスの供給の遮断状態を維持する遮断制御を行うものであり、
前記遮断制御を解除するために操作される遮断制御解除部を備え、
前記制御部は、前記遮断制御解除部が操作されたときには、前記遮断制御を行なわず、前記点消火操作部の点火操作によって、前記コンロバーナへの燃料ガスの供給の遮断状態の維持を解除して、前記コンロバーナへの燃料ガスの供給を許容する。
【００１２】
本発明によると、使用者の身体の一部が、ガスコンロ本体の点消火操作部に、無意識に接触して点消火操作部を点火操作してしまっても、使用者が、遮断制御解除部を操作していなければ、コンロバーナへの燃料ガスの供給の遮断状態を維持する遮断制御が行われるので、コンロバーナが点火することがなく、したがって、使用者が、コンロバーナの点火に驚くといったことのない、使い勝手の良いガスコンロとなる。
【００１３】
（２）本発明の好ましい実施態様では、前記コンロバーナへ燃料ガスを供給するガス流路に設けられて、前記点消火操作部の点火操作によって開弁するメイン弁と、該メイン弁に直列に接続されて、前記制御部によって開閉が制御される開閉弁とを備え、前記メイン弁は、前記点消火操作部の点火操作に連動して開弁するものであり、前記制御部は、前記開閉弁の閉止状態を維持して、前記コンロバーナへの燃料ガスの供給の遮断状態を維持する前記遮断制御を行なう。
【００１４】
この実施態様によると、点消火操作部の点火操作に連動してガス流路のメイン弁が開弁されるが、遮断制御解除部を操作していなければ、遮断制御が行われるので、メイン弁に直列の開閉弁は、点消火操作部の点火操作によっても閉弁状態が維持され、メイン弁が開弁されてもコンロバーナには燃料ガスが供給されず、コンロバーナが点火されることがない。
【００１５】
（３）本発明の他の実施態様では、前記コンロバーナ上の所定の加熱位置における調理容器を検知して検知出力を前記制御部に与える容器検知手段を備え、前記制御部は、前記容器検知手段によって調理容器が検知されている場合であって、かつ、前記遮断制御解除部が操作されて、前記遮断制御を行わない場合にのみ、前記点消火操作部の点火操作によって、前記開閉弁を開放して前記コンロバーナへの燃料ガスの供給を許容する。
【００１６】
この実施態様によると、容器検知手段によって調理容器が検知されている場合であって、かつ、遮断制御解除部が操作されて、遮断制御を行わない場合にのみ、点消火操作部の点火操作によって開閉弁を開放するので、容器検知手段によって調理容器が検知されていない場合、すなわち、調理容器がコンロバーナ上に存在しないときには、開閉弁が閉止状態に維持されることになり、コンロバーナへ燃料ガスが供給されず、コンロバーナが点火されることがない。これによって、遮断制御のために使用される開閉弁を、調理容器が存在しない場合のコンロバーナの点火禁止の制御にも利用することができる。
【００１７】
（４）本発明の好ましい実施態様では、前記制御部は、前記コンロバーナによる加熱を行っている加熱状態において、前記点消火操作部の消火操作によって、前記コンロバーナによる加熱を停止した加熱停止状態となったときに、前記遮断制御を開始する。
【００１８】
この実施態様によると、使用者が、遮断制御解除部を操作して、遮断制御を解除し、点消火操作部を点火操作してコンロバーナを点火して加熱状態とした後に、点消火操作部の消火操作によって、コンロバーナを消火して加熱停止状態となったときには、遮断制御が再び開始されることになる。したがって、使用者が、点消火操作部を消火操作してコンロバーナを消火した後には、自動的に遮断制御が開始されることになり、使用者は、遮断制御解除部を操作しなければ、遮断制御を解除してコンロバーナを点火することができない。これによって、使用者の身体の一部が、ガスコンロ本体の点消火操作部に、無意識に接触して点消火操作部を点火操作してしまっても、コンロバーナが点火することがなく、使用者が、コンロバーナの点火に驚くといったことがない。
【００１９】
（５）本発明の他の実施態様では、前記制御部は、前記コンロバーナによる加熱を停止して前記加熱停止状態となって所定の遅延時間が経過したときに、前記遮断制御を開始する。
【００２０】
この実施態様によると、点消火操作部を消火操作してコンロバーナによる加熱を停止して加熱停止状態なったときに、直ちに遮断制御を開始するのではなく、所定の遅延時間が経過するまでは、遮断制御を開始しないので、この所定の遅延時間内であれば、遮断制御解除部を操作しなくても点消火操作部を点火操作することによってコンロバーナを点火することができる。これによって、短い時間内に点消火を繰り返すような場合に、点火操作の度に、遮断制御解除部を操作する必要がなく、一層使い勝手の良いガスコンロとなる。
【００２１】
（６）本発明の更に他の実施態様では、前記制御部への電源の供給の入り切りを行う電源スイッチを備え、前記制御部は、前記電源スイッチの入り操作によって電源が供給されたときに、前記遮断制御を開始する。
【００２２】
この実施態様によると、電源スイッチを入り操作して制御部に給電されると、制御部は遮断制御を開始するので、使用者が、遮断制御解除部を操作していなければ、点消火操作部を点火操作してもコンロバーナへ燃料ガスが供給されず、コンロバーナが点火されることがない。したがって、使用者の身体の一部が、点消火操作部に、無意識に接触して点消火操作部を点火操作してしまっても、コンロバーナが点火することがなく、使用者が、コンロバーナの点火に驚くといったことがない。
【００２３】
（７）本発明の更に他の実施態様では、前記コンロバーナの燃焼状態を報知する報知部を備え、前記報知部は、前記制御部が前記遮断制御を行なっていること、或いは、前記遮断制御解除部が操作されて前記遮断制御を行なっていないことを、前記コンロバーナの燃焼状態の報知態様とは異なる報知態様で報知する。
【００２４】
この実施態様によると、コンロバーナの燃焼状態を報知する報知部を共用して、遮断制御を行っていること或いは遮断制御が解除されていることを報知するので、使い勝手が向上すると共に、報知部を個別に備える構成に比べて、コストを低減することができる。
【００２５】
（８）本発明の好ましい実施態様では、前記制御部は、前記遮断制御解除部が操作されて、前記遮断制御を行わずに所定の解除操作有効時間が経過したときに、前記遮断制御を開始する。
【００２６】
この実施態様によると、使用者が、遮断制御解除部を操作することによって、遮断制御が行われなくなった状態で、時間が経過し、使用者が、遮断制御解除部を操作したことを失念しても、遮断制御解除部の前記操作から所定の解除操作有効時間が経過すると、遮断制御が再び開始されるので、使用者の身体の一部が、ガスコンロ本体の点消火操作部に、無意識に接触して点消火操作部を点火操作してしまっても、コンロバーナが点火することがなく、使用者が、コンロバーナの点火に驚くといったことがない。
【発明の効果】
【００２７】
本発明によれば、使用者の身体の一部が、ガスコンロ本体の点消火操作部に、無意識に接触して点消火操作部を点火操作してしまっても、使用者が、遮断制御解除部を操作していなければ、コンロバーナへの燃料ガスの供給の遮断状態を維持する遮断制御が行われるので、コンロバーナが点火することがなく、したがって、使用者が、コンロバーナの点火に驚くといったことのない、使い勝手の良いガスコンロとなる。
【図面の簡単な説明】
【００２８】
【図１】本発明の一実施形態のガスコンロの全体斜視図である。
【図２】図１のガスコンロのコンロバーナの断面図である。
【図３】図１のガスコンロの開閉式の操作部を開放した状態を示す全体斜視図である。
【図４】図１のガスコンロの点消火ボタン付近の一部拡大図である。
【図５】図１のガスコンロのコンロバーナへのガス供給及びその制御を説明するための概略構成図である。
【図６】図１のガスコンロのガス弁ブロックの概略断面図である。
【図７】点消火ボタンとバルブ開閉状態との関係を示す要部の縦断面図である。
【図８】本発明の他の実施形態の容器検知手段の検知スイッチとチャイルドロック解除スイッチの接点の接続例を示す図である。
【発明を実施するための形態】
【００２９】
以下、本発明の実施形態について図面を参照しながら詳細に説明する。
【００３０】
図１は、本発明の一実施形態に係るガスコンロの全体斜視図である。この実施形態のガスコンロ１は、ガスコンロ本体２の上部に、ガラス製の天板５が配置され、この天板５に形成された開口から臨むコンロバーナ３として、高火力バーナ３Ａ、小火力バーナ３Ｂ及び高火力バーナ３Ｃを備えている。ガスコンロ本体２の左右方向（横幅方向）の中央部には、グリル庫４を備えており、このグリル庫４には、図示しないグリルバーナが備えられている。
【００３１】
高火力バーナ３Ａ，３Ｃは、天板５の前方側（使用者に近い側）の左右に配置される２つの前方側コンロバーナであり、小火力バーナ３Ｂは、天板５の後方側の中央に配置される１つの後方側コンロバーナである。
【００３２】
天板５上には、各コンロバーナ３Ａ〜３Ｃにて加熱される鍋等の調理容器を載置するための五徳７が、３つのコンロバーナ３Ａ〜３Ｃの夫々に対応して設けられている。
【００３３】
このガスコンロ１は、図示は省略するが、キッチンキャビネットの上方開口部から下方に挿入されてキッチンキャビネットに組み付けられる、いわゆるビルトインタイプとして構成されるものであり、キッチンキャビネットに組み付けられた状態においては、ガスコンロ本体２の前面部が、キッチンキャビネットの前面開口に臨ませた状態となる。
【００３４】
なお、ガスコンロ本体２の横側壁における前方側箇所には、ガスコンロ本体２の横端部と前面開口との間の隙間を塞ぐ左右一対のサイドカバー８，８が装着されている。
【００３５】
各コンロバーナ３には、図２に示すように、所定の加熱位置である五徳７上に載置される調理容器を検知する容器検知手段２５と、調理容器の下面の温度を検知する温度センサ２６とが設けてある。容器検知手段２５は、ガスコンロ１に固定される支持部２５ａと、支持部２５ａに、上下方向に移動自在に支持される可動部２５ｂと、可動部２５ｂの上下位置を検知する検知スイッチ２５ｃと、で構成される。可動部２５ｂは、ばね等の付勢手段（図示せず）により上方に付勢され、その上端部は五徳７よりも上方に突出する。
【００３６】
この状態で五徳７上に調理容器が載置されると、可動部２５ｂの上端部が調理容器の下面によって押し下げられ、可動部２５ｂの下動に伴い検知スイッチ２５ｃにより下動が検知され、後述の図５に示されるマイクロコンピュータ等からなる制御部５０に認識される。そして、可動部２５ｂの上端部に上記温度センサ２６が設けられ、調理容器が五徳７上に載置された時に調理容器の下面に当接して温度を検出し、検出温度は制御部５０に認識される。
【００３７】
図１に示すように、ガスコンロ本体２の前面部には、グリル庫４を左右から挟んで前面パネル９，９が設けられ、各前面パネル９，９の下方には、図３にその開放状態が示される開閉式の操作部１０，１０が設けられる。
【００３８】
左方の前面パネル９には、押し操作の度に、高火力バーナ３Ａ及び小火力バーナ３Ｂの点消火をそれぞれ行うための点消火操作部としての点消火ボタン１１Ａ，１１Ｂが備えられ、その上方に、左右のスライド操作によって高火力バーナ３Ａ及び小火力バーナ３Ｂの火力をそれぞれ手動調節する火力調節レバー１２Ａ，１２Ｂが備えられる。また、点消火ボタン１１Ａ，１１Ｂと火力調節レバー１２Ａ，１２Ｂとの間には、各バーナ３Ａ，３Ｂが燃焼状態であることを点灯表示するＬＥＤからなる燃焼ランプ１６Ａ，１６Ｂが備えられる。この燃焼ランプ１６Ａ，１６Ｂは、後述の遮断制御が行われていることを、点灯表示とは異なる報知態様である点滅表示によって、使用者に報知する報知部としても機能する。点消火ボタン１１Ａ，１１Ｂに近接して、後述の遮断制御を解除するために操作される遮断制御解除部としてのチャイルドロック解除スイッチ１７Ａ，１７Ｂが備えられる。
【００３９】
一対の点消火ボタン１１Ａ，１１Ｂは、図４の一部拡大図に示すように、ガスコンロ本体２の左右方向に沿って隣接して配置されると共に、両点消火ボタン１１Ａ，１１Ｂの間には、ガスコンロ本体２の左右方向である横方向から見た側方視において、点消火ボタン１１Ａ，１１Ｂの前方側へ突出した前端側部分と同形状部分を有する中間部材１４が配設されている。この中間部材１４は、点消火ボタン１１Ａ，１１Ｂの押し操作方向と同方向への移動が不能であり、押し操作できないように構成されている。
【００４０】
ガスコンロ本体２の側方視において、点消火ボタン１１Ａ，１１Ｂの前端側部分と同形状部分を有する中間部材１４が、ガスコンロ本体の左右方向に沿って並ぶ一対の点消火ボタン１１Ａ，１１Ｂの間に配設されているので、一対の点消火ボタン１１Ａ，１１Ｂの一方側の点消火ボタン１１Ａ（または１１Ｂ）を押し操作する際に、誤って、手指が他方側にはみ出して押し操作するようなことがあっても、中間部材１４は押し操作できないので、他方側の点消火ボタン１１Ｂ（または１１Ａ）が押し操作されることを回避することができる。すなわち、一対の点消火ボタン１１Ａ，１１Ｂの一方側を操作する際に、他方側の点消火ボタンを誤って操作する誤操作状態が発生する不都合を回避することができる。
【００４１】
右方の前面パネル９には、その上部右隅に、制御部５０を含む各部への電源の供給の入り切りを行う電源スイッチ１８が備えられている。また、この前面バネル９には、押し操作の度に高火力バーナ３Ｃ及びグリルバーナの点消火をそれぞれ行うための点消火操作部としての点消火ボタン１１Ｃ，１１Ｄが備えられ、その上方に、左右のスライド操作によって高火力バーナ３Ｃの火力を手動調節する火力調節レバー１２Ｃ及びグリルバーナの火力を切替え調節する火力切替スイッチ１３が備えられる。また、点消火ボタン１１Ｃと火力調節レバー１２Ｃとの間には、高火力バーナ３Ｃが燃焼状態であることを点灯表示するＬＥＤからなる燃焼ランプ１６Ｃが備えられている。この燃焼ランプ１６Ｃは、後述の遮断制御が行われていることを、点滅表示によって使用者に報知する報知部としても機能する。更に、点消火ボタン１１Ｃに近接して、後述の遮断制御を解除するために操作される遮断制御解除部としてのチャイルドロック解除スイッチ１７Ｃが備えられている。
【００４２】
一対の点消火ボタン１１Ｃ，１１Ｄは、一対の点消火ボタン１１Ａ，１１Ｂと同様に、ガスコンロ本体２の左右方向に沿って隣接して配置されると共に、両点消火ボタン１１Ｃ，１１Ｄの間には、中間部材１４が配設されている。
左方の開閉式の操作部１０は、図３に示す開放状態において、高火力バーナ３Ａ及び小火力バーナ３Ｂに対する運転情報を設定するものであって、具体的には、燃焼している高火力バーナ３Ａ及び小火力バーナ３Ｂを設定時間が経過すると自動的に消火するタイマ運転や、やかん等の被加熱容器に収納した湯水が沸騰すると、燃焼している高火力バーナ３Ａ及び小火力バーナ３Ｂを自動的に消火する湯沸し運転等、各種の運転を実行するための運転情報を設定することができる。
【００４３】
右方の開閉式の操作部１０は、図３に示す開放状態において、高火力バーナ３Ｃ及びグリルバーナに対する運転情報を設定するものであって、具体的には、高火力バーナ３Ｃについては、高火力バーナ３Ａ及び小火力バーナ３Ｂと同様に、タイマ運転や湯沸し運転等の各種の運転を実行するための運転情報を設定することができる。
【００４４】
また、グリルバーナについては、燃焼しているグリルバーナを設定時間が経過すると自動的に消火するタイマ運転や、燃焼排気温度に基づいて被調理物が焼き上がったと判定すると、燃焼しているグリルバーナを自動的に消火する自動運転等、各種の運転を実行するための運転情報を設定することができる。
【００４５】
グリル庫４は、ガスコンロ本体２の左右方向の中央の前面開口を開閉するグリル扉１５を備えている。このグリル扉１５は、グリル庫４内に収容する焼き網等を支持する支持フレーム（図示せず）の前端が連結されている。このグリル扉１５の前面１５Ｂの下部には、左右方向に沿って延びる前方側へ突出し把持部１５Ａが備えられており、この把持部１５Ａを把持してグリル扉１５を出し入れしてグリル庫４の前面開口を開閉操作する。
【００４６】
図５は、ガスコンロ１のコンロバーナ３Ａ〜３Ｃおよびグリルバーナへの燃料ガスの供給及びその制御を説明するための概略構成図であり、グリルバーナについては、従来と同様であるので、その一部は省略している。
【００４７】
また、図６は、各バーナへ燃料ガスの供給及び遮断を行うガス弁ブロック１０６の概略断面図であり、図５に対応する部分には、同一の参照符号を付す。この図６は、後述するメイン弁（主弁）６３が開かれている状態が示されている。なお、このガス弁ブロック１０６は、コンロバーナ３Ａ〜３Ｃおよびグリルバーナに対して同一仕様となっている。また、小火力バーナ３Ｂは、高火力バーナ３Ａ，３Ｃに比べて、ノズル径が小さくなっている。
【００４８】
グリルバーナについては、従来と同様であるので、以下では、各コンロバーナ３Ａ〜３Ｃについて主に説明する。
【００４９】
各コンロバーナ３Ａ〜３Ｃには、高圧パルスによって、燃料ガスの吐出口に設けられる点火プラグに放電を起こさせて点火する点火装置２３が設けられており、この点火装置２３は、制御部５０によって制御される。
【００５０】
また、各コンロバーナ３Ａ〜３Ｃには、バーナの着火状態を検知するための熱電対を有する点火検知装置２４が設けられており、この点火検知装置２４の検知出力が、制御部５０へ与えられる。
【００５１】
制御部５０には、上記図２に示される容器検知手段２５及び温度センサ２６の検知出力が与えられる。
【００５２】
ガス弁ブロック１０６は、器具栓本体６０に、内部のガス流路６１と、ガス流路６１の上流端となる導入口６１ａ及び下流端となる導出口６１ｂとが設けてある。内部のガス流路６１には、上流側より安全弁６２用の弁孔、メイン弁（主弁）６３用の弁孔が設けてある。メイン弁（主弁）６３用の弁孔の下流側は、大火用の流路６１ｃと小火用の流路６１ｄとが並列に設けてあり、大火用の流路６１ｃに、大火力／小火力切替用の第１ラッチ式電磁弁ＬＢ１用の弁孔が設けてあり、小火用の流路６１ｄに、第２ラッチ式電磁弁ＬＢ２用の弁孔が設けてある。
【００５３】
この実施形態では、第１ラッチ式電磁弁ＬＢ１及び第２ラッチ式電磁弁ＬＢ２は、図５に示すように、各コンロバーナ３Ａ〜３Ｃに、それぞれ燃料ガスを供給するガス流路６１にそれぞれ設けられた各メイン弁（主弁）６３に対して直列に接続された開閉弁であって、その開閉が、制御部５０によって後述のように制御される。なお、大火力と小火力との切替えを行わない場合には、第１，第２ラッチ式電磁弁ＬＢ１，ＬＢ２のいずれか一方のラッチ式電磁弁及びその流路を省略してもよい。
【００５４】
第１ラッチ式電磁弁ＬＢ１の弁孔の下流側と、第２ラッチ式電磁弁ＬＢ２の下流側に位置する小火用オリフィスｏｆ２の下流側とで、大火用の流路６１ｃと小火用の流路６１ｄとが合流し、さらにその下流側には、火力調節レバー１２と連動する流量制御弁６５用の弁孔が設けてある。
【００５５】
また、ガス流路６１には、前記第１ラッチ式電磁弁ＬＢ１及び第２ラッチ式電磁弁ＬＢ２を設けた部分をバイパスするバイパス流路ＢＰが設けてあり、このバイパス流路ＢＰにバイパス用オリフィスｏｆ１が設けてある。バイパス用オリフィスｏｆ１は、ガス弁ブロック１０６を複数機種で共用するために設けられるもので、ガス弁ブロック１０６を他の機種への応用において使用する時には開口される場合があるが、本実施形態においては、バイパス用オリフィスｏｆ１は閉塞体（図示せず）により閉塞されている。
【００５６】
火力調節レバー１２を中火から大火の間の位置に設定しておいたときに、第１ラッチ式電磁弁ＬＢ１と第２ラッチ式電磁弁ＬＢ２との開・閉の組み合わせに応じて、コンロバーナ３の火力が制御部５０により調整制御される。
【００５７】
流量制御弁６５用の弁孔の下流側は、コンロバーナ３にガスを供給するための導出口６１ｂに至る。
【００５８】
器具栓本体６０には、点消火ボタン１１に連動して作動する作動部材としてスライダ６６が前後方向に移動自在、かつ、前方にバネ付勢して装備されている。スライダ６６は、前端面が点消火ボタン１１により後方に押圧されることでバネ付勢力に抗して後退するようになっている。
【００５９】
点消火ボタン１１は、前後動自在に設けられるもので、前記点消火ボタン１１の指で押される部分よりも上側の部分がコンロ本体側に枢支されて、指で押される部分が前後動し、スライダ６６の前端面を後方に押圧する。
【００６０】
スライダ６６には、ガス弁ブロック１０６の下部に設けた周知構造のハート型カム機構９０によって、図７（Ａ）〜（Ｃ）に示すように、前方の「消火位置」（ａ）、最後方の「点火位置」（ｂ）、及び、その少し前方の「燃焼位置」（ｃ）に切替え保持可能となっている。すなわち、図７に示すように、点消火ボタン１１を大きく押し操作することで、スライダ６６がバネ付勢力に抗して「消火位置」（ａ）から「点火位置」（ｂ）に至り、点消火ボタン８の押し操作を解除すると「点火位置」（ｂ）から少し前方に付勢復帰して「燃焼位置」（ｃ）に安定保持される。そして、点消火ボタン１１を再び大きく押し操作した後、押し操作を解除すると、スライダ６６は「燃焼位置」（ｃ）から一旦後方に移動された後、バネ付勢力で前方に移動して「消火位置」（ａ）に復帰するようになっている。
【００６１】
また、器具栓本体６０には、スライダ６６の進退に伴って進退するバルブロッド６７が前方へバネ付勢して組み込んであり、スライダ６６が「消火位置」（ａ）にある時には、スライダ６６の後端とバルブロッド６７の前端とは間隙をもって対向している。つまり、「消火位置」（ａ）にあるスライダ６６がバルブロッド６７の前端に当接するまでのストロークが、メイン弁（主弁）６３が閉じられた状態を維持する「遊びストローク」ｓとなっている。
【００６２】
また、バルブロッド６７の先端側は、ガス流路６１内に挿入され、その先端部は、後方すなわち下流側より上流側に向けて、メイン弁（主弁）６３用の弁孔と安全弁６２用の弁孔とに挿通されている。バルブロッド６７は、スライダ６６が「消火位置」（ａ）から「燃焼位置」（ｃ）に切り替わる際、一旦「燃焼位置」（ｃ）よりも後方の「点火位置」（ｂ）に後退してから「燃焼位置」（ｃ）にまで前進するが、この「燃焼位置」（ｃ）に移動した時に、安全弁６２用の弁孔を上流側より閉止している安全弁６２の弁体を、上流側に移動させて、安全弁６２用の弁孔を開放する。
【００６３】
安全弁６２は電磁弁からなり、弁体が前方、すなわち下流側に前進することで安全弁６２用の弁孔を後方より閉止し、弁体が後方、すなわち上流側に後退することで安全弁６２用の弁孔を開放する。
【００６４】
安全弁６２は、点火検知装置２４により火炎が検知されている場合にのみ制御部５０により開放状態が維持され、火炎が検知されなくなると制御部５０による開放状態の維持が停止して閉止される。これにより、煮こぼれや風により立ち消えが起こって点火検知装置２４で火炎が検知されなくなった場合に、燃料ガスの流出が防止される。
【００６５】
制御部５０は、温度センサ２６により検出された調理容器の下面の温度が、所定の温度（例えば２７０℃）に達すると、空焚きや焦げ付き等の異常が発生していると判定して、安全弁６２を閉止する。
【００６６】
このように、安全弁６２、点火検知装置２４、温度センサ２６により異常を検知して燃料ガスの供給を停止する異常検知手段が構成されている。
【００６７】
バルブロッド６７の途中には、メイン弁（主弁）６３用の弁孔を開閉するメイン弁（主弁）体が設けてある。そして、図７（Ａ）に示すように、スライダ６６が「消火位置」（ａ）にある時には、バルブロッド６７はスライダ６６から離反した自由状態にあり、メイン弁（主弁）体がメイン弁（主弁）６３用の弁孔を後方より付勢閉止する。また、図７（Ｂ）に示すように、スライダ６６が「点火位置」（ｂ）にある時には、スライダ６６によってバルブロッド６７が大きく後方に当接移動され、メイン弁（主弁）体がメイン弁（主弁）６３用の弁孔より大きく後方に位置してメイン弁（主弁）６３用の弁孔を大きく開放する。また、図７（Ｃ）に示すように、スライダ６６が「燃焼位置」（ｃ）にある時には、スライダ６６によってバルブロッド６７が少し後方に当接移動され、メイン弁（主弁）体がメイン弁６３用の弁孔より所定量だけ後方に位置してメイン弁６３用の弁孔を所定の開度で開放する。
【００６８】
流量制御弁６５用の弁孔は、火力調整用のニードル６５ａの前後方向の移動により開度が自在に調節される。ニードル６５ａは、火力調節レバー１２を左右に移動操作することで開度の調節がなされ、火力調節レバー１２が右に行く程、燃料ガスの供給量が多くなるように調節される。
【００６９】
点消火ボタン１１又はスライダ６６の位置によりＯＮ／ＯＦＦが切り替わる器具栓スイッチ９１と点火器スイッチ９２とを設けてある。器具栓スイッチ９１は、スライダ６６が前方の「消火位置」（ａ）に位置している時にはＯＦＦとなり、後方の「燃焼位置」（ｃ）及び「点火位置」（ｂ）に位置している時にＯＮとなる。また、点火器スイッチ９２は、スライダ６６が最後方の「点火位置」（ｂ）に位置している時にだけＯＮとなり、それより前方の位置ではＯＦＦとなる。器具栓スイッチ９１及び点火器スイッチ９２の出力は、制御部５０に与えられる。
【００７０】
制御部５０は、上記電源スイッチ１８が入り操作（オン）されることによって、給電されて動作を開始する。
【００７１】
この実施形態では、電源スイッチ１８がオンされて制御部５０が動作を開始した状態では、後述のように、遮断制御解除部としてのチャイルドロック解除スイッチ１７を操作しないと、点消火ボタン１１を点火操作しても燃料ガスのコンロバーナ３への供給を遮断状態に維持する遮断制御を行うのであるが、以下では、先ず、チャイルドロック解除スイッチ１７が操作されて前記遮断制御が行われない場合の点消火動作について、説明する。
【００７２】
コンロバーナ３の点火を行うには、点消火ボタン１１を押し操作、すなわち、点火操作して、スライダ６６を「消火位置」（ａ）から「点火位置」（ｂ）に後退させる。スライダ６６とともに後退したバルブロッド６７により、安全弁６２が開放されると共にメイン弁６３が開放され、器具栓スイッチ９１がＯＮとなる。制御部５０は、上記のように遮断制御を行わないので、器具栓スイッチ９１がＯＮすると、第１ラッチ式電磁弁ＬＢ１及び第２ラッチ式電磁弁ＬＢ２を開放し、燃料ガスがコンロバーナ３に供給される。そして、安全弁６２が開き始めた時点で、「点火位置」（ｂ）にまで後退したスライダ６６によって点火器スイッチ９２がＯＮとなり、この点火器スイッチ９２の出力が制御部５０に与えられる。これによって、制御部５０は、点火装置２３のイグナイタを作動させて点火プラグの放電を開始し、コンロバーナ３の点火が開始される。
【００７３】
点火動作によるコンロバーナ３への着火が点火検知装置２４で検知されると、制御部５０は、安全弁６２を開放状態に保持し、コンロバーナ３の点火を継続する。また、制御部５０は、点火検知装置２４によってコンロバーナ３の着火が検知されると、対応する燃焼ランプ１６を連続点灯させて、コンロバーナ３の燃焼状態（着火状態）を、使用者に報知する。
【００７４】
その後、点消火ボタン１１の押し操作を解除すると、スライダ６６は「点火位置」（ｂ）より少し前方の「燃焼位置」（ｃ）にまで付勢復帰して安定保持され、コンロバーナ３は引き続き燃焼状態に維持される。
【００７５】
点消火ボタン１１が押し操作されて加熱が開始されると、火力調節レバー１２を操作することで、所望の火力が得られる。なお、コンロバーナ３の火力調節レバー１２は、該コンロバーナ３の点消火ボタン１１を操作して点火を行う時、点消火ボタン１１の操作と連動して火力が中火力側に移動するようになっていて、点火時には中程度の火力となっている。
【００７６】
また、コンロバーナ３が燃焼している状態で点消火ボタン１１を再度大きく押し込んだ後、その押し込みを解除すると、スライダ６６は「燃焼位置」（ｃ）から一旦後方に移動した後、「消火位置」（ａ）に付勢復帰してメイン弁６３が閉止し、コンロバーナ３が消火される。
【００７７】
そして、グリルを含む全ての点消火ボタン１１のスライダ６６を「消火位置」（ａ）にすると、各バーナの全てのメイン弁６３が閉止して消火され、かつ、各バーナの全ての器具栓スイッチ９１がＯＦＦになり、各バーナの安全弁６２が閉止すると共に、制御部５０は、第１ラッチ式電磁弁ＬＢ１及び第２ラッチ式電磁弁ＬＢを閉止する。
【００７８】
この実施形態のガスコンロ１は、オートパワーオフ機能を備えており、グリルバーナを含む全てのバーナが使用されていない状態が、所定時間、例えば、３分間継続すると、自動的に電源がオフされる。
【００７９】
この実施形態では、使用者の身体の一部が、点消火ボタン１１に無意識に接触して、意図せずに点火操作していまい、コンロバーナ３が点火して使用者が驚くといった事態が生じるのを防止するために、次のように構成している。
【００８０】
すなわち、この実施形態では、電源スイッチ１８が入り操作されて制御部５０に給電されて制御部５０が動作を開始すると、制御部５０は、遮断制御解除部としてのチャイルドロック解除スイッチ１７を操作しない限り、点消火ボタン１１の点火操作を行っても、対応するコンロバーナ３への燃料ガスの供給の遮断状態を維持する遮断制御を行うようにしており、電源スイッチ１８を入り操作することによって、前記遮断制御が開始される。
【００８１】
この遮断制御が行われているときには、制御部５０は、燃焼ランプ１６を所定のパターン（例えば０．５秒ＯＮ／０．５秒ＯＦＦ）で点滅させる。つまり、制御部５０は、遮断制御を行っているときには、連続点灯によって燃焼状態を報知する燃焼ランプ１６を、連続点灯とは、異なる報知態様である点滅によって、使用者に報知する。
【００８２】
このようにコンロバーナ１の燃焼状態を報知する報知部である燃焼ランプ１６を共用して、遮断制御を行っていることを報知するので、使い勝手が向上し、しかも、製造コストが低減できる。また、省スペースとなり、外観意匠に対する自由度が高まり、外観意匠を美麗に保つ上で有利である。
【００８３】
上記のように、使用者が電源スイッチ１８を入り操作した後は、チャイルドロック解除スイッチ１７を操作しない限り、点消火ボタン１１による点火操作を行っても、対応するコンロバーナ３に燃料ガスは供給されず、コンロバーナ３が点火されることはないので、使用者の身体の一部が、意図せずに、点消火ボタン１１Ａ〜１１Ｃのいずれかの点消火ボタンに接触して押し操作しても対応するコンロバーナ３Ａ〜３Ｃが点火することはない。
【００８４】
具体的には、チャイルドロック解除スイッチ１７を操作しなければ、点消火ボタン１１の点火操作を行っても制御部５０は、第１ラッチ式電磁弁ＬＢ１及び第２ラッチ式電磁弁ＬＢを閉止状態に維持して、コンロバーナ３への燃料ガスの供給の遮断状態を維持する遮断制御を行い、点火装置２３による点火を行わず、コンロバーナ３が点火されることはない。
【００８５】
次に、チャイルドロック解除スイッチ１７が操作されておらず、遮断制御が行われている場合の点消火ボタン１１による点火操作の動作について説明する。
【００８６】
使用者が、チャイルドロック解除スイッチ１７を操作することなく、点消火ボタン１１を押し操作し、スライダ６６を「消火位置」（ａ）から「点火位置」（ｂ）に後退させると、スライダ６６と共に、後退したバルブロッド６７により、安全弁６２が開放されると共にメイン弁６３が開放される。また、スライダ６６が後退することにより、器具栓スイッチ９１がＯＮとなり、また、点火器スイッチ９２がＯＮとなる。
【００８７】
制御部５０は、チャイルドロック解除スイッチ１７が操作されていないので、コンロバーナ３への燃料ガスの供給の遮断状態を維持する遮断制御を行っており、第１ラッチ式電磁弁ＬＢ１及び第２ラッチ式電磁弁ＬＢを閉止状態に維持し、また、点火装置２３による点火も行わない。したがって、点消火ボタン１１を点火操作しても、対応するコンロバーナ３への燃料ガスの供給は遮断されたままであり、コンロバーナ３が点火することはない。
【００８８】
このようにチャイルドロック解除スイッチ１７を操作しない限り、点消火ボタン１１を点火操作しても対応するコンロバーナ３は、点火しないので、使用者の身体の一部が、点消火ボタン１１に無意識に接触して、意図せずに点火操作してしまっても、対応するコンロバーナ３は点火されず、コンロバーナ３が点火して使用者が驚くといった事態が生じることがない。
【００８９】
使用者が、チャイルドロック解除スイッチ１７を操作すれば、遮断制御は行われず、点消火ボタン１１を点火操作してコンロバーナ３を点火し、コンロバーナ３による加熱を開始することができる。
【００９０】
本実施形態のガスコンロ１では、使用者が、チャイルドロック解除スイッチ１７を操作すると、遮断制御が行われないのであるが、チャイルドロック解除スイッチ１７を操作してから所定の解除有効時間（例えば４０秒間）が経過すると、制御部５０は、再び、遮断制御を開始し、チャイルドロック解除スイッチ１７が操作されない限り、点消火ボタン１１による点火操作が行われても、制御部５０は、ラッチ式電磁弁ＬＢ１、及び、ラッチ式電磁弁ＬＢ２の閉弁状態を維持し、コンロバーナ３への燃料ガスの供給を遮断してコンロバーナ３を点火しないようにしている。
【００９１】
これによって、チャイルドロック解除スイッチ１７を操作した後に、時間が経過し、使用者が、チャイルドロック解除スイッチ１７を操作したことを失念した場合にも、前記所定の解除有効時間が経過すると、再び遮断制御が開始されるので、使用者が意図せずコンロバーナ３に対する点火操作を行ったときに、コンロバーナ３が点火することはなく、使用者が驚いてしまうといた事態が生じることがない。なお、本発明の他の実施形態として、所定の解除有効期間が経過しても遮断制御を開始しないようにしてもよい。
【００９２】
本実施形態では、使用者が、チャイルドロック解除スイッチ１７を操作し、前記所定の解除有効時間内に点消火ボタン１１を点火操作して、コンロバーナ３を点火して加熱を開始し、この加熱状態において、使用者が、点消火ボタン１１の消火操作を行ってコンロバーナ３が消火して加熱停止状態になってから所定の遅延時間（例えば３０秒間）が経過したときには、再び、遮断制御を開始するようにしている。
【００９３】
このように使用者が、コンロバーナ３を消火して加熱停止状態となってから所定の遅延時間が経過すると、遮断制御が開始されるので、前記所定の遅延時間が経過した後に、使用者の身体の一部が、ガスコンロ本体の点消火操作ボタン１１に、無意識に接触して点消火ボタン１１を点火操作してしまっても、コンロバーナ３が点火することがなく、したがって、使用者が、コンロバーナ３の点火に驚くといったことがない。
【００９４】
また、コンロバーナ３を消火して加熱停止状態となってから所定の遅延時間が経過する迄は、遮断制御が開始されないので、この所定の遅延時間内であれば、チャイルドロック解除スイッチ１７を操作しなくても点消火ボタン１１を点火操作することによってコンロバーナ３に点火することができる。これによって、短い時間内に、点消火を繰り返す場合に、点火操作の度に、チャイルドロック解除スイッチ１７を操作する必要がなく、一層使い勝手の良いガスコンロとなる。
【００９５】
なお、本発明の他の実施形態として、コンロバーナ３を消火して加熱停止状態になったときに、直ちに遮断制御を開始してもよい。
【００９６】
この実施形態では、上記のように、メイン弁（主ガス弁）６３が、点消火ボタン１１の点火操作と機械的に連動して開弁するように構成されたガスコンロ１において、ガス流路６１に、メイン弁（主ガス弁）６３と直列に、第１，第２ラッチ式電磁弁ＬＢ１，ＬＢ２を備え、チャイルドロック解除スイッチ１７を操作しない限り、点消火ボタン１１によって点火操作が行われても、コンロバーナ３への燃料ガスの供給の遮断状態を維持する遮断制御が行われて、コンロバーナ３を点火しないようにしている。
【００９７】
これによって、メイン弁（主ガス弁）６３が、点消火ボタン１１の点火操作と機械的に連動して開弁するガスコンロ１において、使用者の身体の一部が、点消火ボタン１１に無意識に接触して、意図せずに点火操作しても、コンロバーナ３が点火しないので、使用者が驚くといった事態が生じることがなく、使い勝手の良いガスコンロ１となる。
【００９８】
また、本実施形態のガスコンロ１は、上記のように、調理容器がコンロバーナ３上の所定の加熱位置にあるか否か、すなわち、五徳７への調理容器の載置の有無を検知する容器検知手段２５を備えている。
【００９９】
制御部５０は、チャイルドロック解除スイッチ１７が操作されて、遮断制御を行わない場合であって、かつ、調理容器が容器検知手段２５により検知される場合にのみ、点消火ボタン１１による点火操作によって、第１ラッチ式電磁弁ＬＢ１及び第２ラッチ式電磁弁ＬＢを開放してコンロバーナ３を点火して加熱を開始する。
【０１００】
したがって、制御部５０は、チャイルドロック解除スイッチ１７が操作されて、遮断制御を行わない場合であっても、調理容器が容器検知手段２５により検知されていないときには、点消火ボタン１１による点火操作を行なっても、第１ラッチ式電磁弁ＬＢ１及び第２ラッチ式電磁弁ＬＢの閉止状態を維持してコンロバーナ３を点火しないようにしている。
【０１０１】
つまり、制御部５０による遮断制御が行われていなくても、容器検知手段２５により調理容器が検知されていない時に点消火ボタン１１を操作した場合には、制御部５０により第１ラッチ式電磁弁ＬＢ１及び第２ラッチ式電磁弁ＬＢ２の閉止状態が維持されて、加熱を開始しないようにする容器検知制御が行われ、五徳７上に調理容器が載置されていない場合には、コンロバーナ３に炎が形成されないように構成している。
【０１０２】
このように、遮断制御を行うための第１ラッチ式電磁弁ＬＢ１及び第２ラッチ式電磁弁ＬＢ２を有効に利用して、五徳７に調理容器が載置されていないときにコンロバーナ３の点火を行わない容器検知制御を行うようにしているので、ガスコンロ１の製造コストを低減することができる。
【０１０３】
因みに、近年、五徳７上に調理容器が載置されていないときには、コンロバーナ３の点火を行わないガスコンロが普及しているが、このようなガスコンロの場合には、本発明を容易に適用することができる。すなわち、容器検知手段２５からの検知信号と、チャイルドロック解除スイッチ１７からの解除信号とを論理処理するだけで、使用者が意図せずコンロバーナ３の点消火ボタン１１を点火操作してしまった場合に、使用者が驚いてしまうことのない、使い勝手の良いガスコンロを簡単に低コストに構成することができる。特に、容器検知手段２５における検知スイッチ２５ｃが接点により構成される場合には、図８（ａ），（ｂ）のように構成すればよい。
【０１０４】
図８（ａ）に示すように、検知スイッチ２５ｃが、五徳７上に調理容器が載置されたときに閉じるタイプの接点（常開接点）の場合、つまり、検知スイッチ２５ｃが開放している状態では、コンロバーナ３の点火を行わない制御部５０ａを有するガスコンロの場合には、チャイルドロック解除スイッチ１７が操作されず、チャイルドロック解除スイッチ１７から解除信号が入力されない場合には開放しており、チャイルドロック解除スイッチ１７が操作されて解除信号を入力されると、接点を閉じ、上記所定の解除有効時間（例えば４０秒間）が経過すると、元の開放状態に復帰する接点（瞬時動作限時復帰常開接点）１９ａを、検知スイッチ２５ｃと直列に挿入することで、使用者が意図せずコンロバーナ３の点消火ボタン１１を点火操作してしまった場合に、使用者が驚いてしまうことのない、使い勝手の良いガスコンロを簡単に低コストに構成することができる。
【０１０５】
また、図８（ｂ）に示すように、検知スイッチ２５ｃが五徳７上に調理容器が載置されたときに開放するタイプの接点（常閉接点）の場合、つまり、検知スイッチ２５ｃが閉じている状態では、コンロバーナ３の点火を行わない制御部５０ｂを有するガスコンロの場合には、チャイルドロック解除スイッチ１７が操作されず、チャイルドロック解除スイッチ１７から解除信号が入力されない場合には閉じており、チャイルドロック解除スイッチ１７が操作されて解除信号が入力されると、接点が開放し、上記所定の解除有効時間が経過すると、元の閉じ状態に復帰する接点（瞬時動作限時復帰常閉接点）１９ｂを、検知スイッチ２５ｃと並列に挿入することで、使用者が意図せずコンロバーナ３の点消火ボタン１１を点火操作してしまった場合に、使用者が驚いてしまうことのない、使い勝手の良いガスコンロを簡単に低コストに構成することができる。
【０１０６】
上記実施形態では、メイン弁（主ガス弁）６３が、点消火ボタン１１による点火操作と機械的に連動して開弁するように構成されているが、メイン弁（主弁）６３を電磁弁などの電動弁により構成しておき、点消火ボタン１１による点火操作を電気的に検出し、制御部５０が電動弁により構成されたメイン弁（主弁）６３を電気的に開閉するように構成することも可能である。
【０１０７】
この場合、メイン弁（主弁）６３の開閉を制御して上記の遮断制御を行うようにすれば、上記実施形態において、大火力と小火力の切替えを行わない場合には、ラッチ式電磁弁ＬＢ１，ＬＢ２を省略することができる。
【０１０８】
上記施形態では、遮断制御を解除する遮断制御解除部を、スイッチで構成したが、遮断制御解除部を、指紋認証装置などの生体認証装置によって構成してもよい。
【０１０９】
このように構成した場合、遮断制御の解除を行える使用者が、特定の使用者に限定できるので、特定の使用者以外の使用者によるコンロバーナ３の点火を制限することができ、チャイルドロックとしての効果を高めることが可能となる。
【０１１０】
上記施形態では、遮断制御を行っていることを、燃焼ランプ１６の発光によって報知したが、本発明の他の実施形態として、例えば、制御部５０のメモリに、予め報知用のメッセージ（例えば、「遮断制御の実行中です」等）を格納しておき、このメッセージを、報知部を構成するスピーカによって音声で報知するといったように音で報知するようにしてもよい。また、上記実施形態では、コンロバーナ１の燃焼状態を報知する報知部である燃焼ランプ１６を共用して、遮断制御を行っていることを報知するように構成されているが、燃焼ランプ１６を共用して、遮断制御が解除されていることを報知するように構成してもよい。
【０１１１】
本発明は、上記実施形態に限定されるものではなく、本発明の範囲内において種々の変形を加えることが可能である。
【符号の説明】
【０１１２】
１                        ガスコンロ
２                        ガスコンロ本体
３Ａ                      高火力バーナ（前方側コンロバーナ）
３Ｂ                      小火力バーナ（後方側コンロバーナ）
３Ｃ                      高火力バーナ（前方側コンロバーナ）
１１，１１Ａ〜１１Ｄ      点消火ボタン
４                        グリル庫
５                        天板
９                        前面パネル
１４                      中間部材
１５                      グリル扉
１６，１６Ａ〜１６Ｃ      燃焼ランプ
１７，１７Ａ〜１７Ｃ      チャイルドロック解除スイッチ（遮断制御解除部）
１８                      電源スイッチ
２３                      点火装置
２４                      点火検知装置
２５                      容器検知手段
２６                      温度センサ
５０                      制御部
６１                      ガス流路
６３                      メイン弁
ＬＢ１                    第１ラッチ式電磁弁
ＬＢ２                    第２ラッチ式電磁弁
【図１】
2017223389.tif 000003
【図２】
2017223389.tif 000004
【図３】
2017223389.tif 000005
【図４】
2017223389.tif 000006
【図５】
2017223389.tif 000007
【図６】
2017223389.tif 000008
【図７】
2017223389.tif 000009
【図８】
2017223389.tif 000010